(57)【特許請求の範囲】
【請求項１】
前面に開口部を備えた商品収納庫と、当該開口部を開閉する収納扉と、開口部から商品収納庫に挿脱可能で商品収納庫を区画する仕切板とを備えた自動販売機において、前記仕切板に関節部を設け、前記仕切板を前記商品収納庫に挿脱する際に当該関節部にて屈曲可能に構成したことを特徴とする自動販売機。
【請求項２】
前記商品収納庫は天面及び底面に前記仕切板を保持する保持部材を備え、前記間接部は前記仕切板を上下方向に縦断するように形成されたものであって、前記仕切板は前記関節部にて左右方向に屈曲可能に構成されていることを特徴とする請求項１に記載の自動販売機。
【請求項３】
前記仕切板に前記間接部を複数設けたことを特徴とする請求項１または請求項２に記載の自動販売機。
【請求項４】
前記仕切板は複数の板部材を備えるとともに、前記関節部は軸部と、この軸部に嵌合して摺動可能な軸受部とで形成されたものであって、前記複数の板部材は、当該軸部と当該軸受部を介して連結されていることを特徴とする請求項１乃至請求項３に記載の自動販売機。
【請求項５】
前記軸部と前記軸受部とは着脱可能に嵌合するものであって、前記複数の板部材はそれぞれ一端部に軸部を備え、当該一端部と対向する他端部に軸受部を備えてなり、一方の板部材の軸部と他方の板部材の軸受部とを嵌合させることにより複数の板部材を任意に連結可能に構成したことを特徴とする請求項４に記載の自動販売機。
【請求項６】
前記商品収納庫と前記扉と前記仕切板はそれぞれ断熱性を有したものであって  、仕切板で区画された商品収納庫の一方を加温し他方を冷却する冷熱装置と、前記収納扉を閉じた際に当該収納扉の裏面と前記仕切板の前端部との隙間をシールするシール部材とを備え、当該シール部材は後部に前記軸受部を有することを特徴とする請求項５に記載の自動販売機。
【請求項７】
前記仕切板は複数の板部材を備えるとともに、前記関節部は弾性樹脂によって形成されたものであって、前記複数の板部材は当該弾性樹脂を介して連結されていることを特徴とする請求項１乃至請求項３に記載の自動販売機。
【請求項８】
前記仕切板は複数の板部材備えるとともに、前記関節部は屈曲可能なシート部材によって形成されたものであって、前記複数の板部材は、互いの片側表面同士をつなぐように貼りつけられた前記シート部材によって連結されていることを特徴とする請求項１乃至請求項３に記載の自動販売機。
【請求項９】
心材と、この心材の両面に貼りつけられた屈曲可能なシート部材とにより構成された一枚の板部材の前記心材と一方の面のシート部材とを切断して、他方の面のシート部材を残すことにより、前記一枚の板部材に前記関節部を形成したことを特徴とする請求項１乃至請求項３に記載の自動販売機。
【請求項１０】
前記心材は発泡ウレタンであるとともに、前記シート部材は防湿シートであって、心材の切断部に防湿カバーを配設して前記関節部を屈曲させたときにも前記心材が露出しないようにしたことを特徴とする請求項９に記載の自動販売機。
【請求項１１】
心材と、この心材の両面に貼りつけられた屈曲可能なシート部材とにより構成された一枚の板部材の前記心材に間隙を形成し、当該間隙に可撓性を有する軟質部材を埋設することにより、前記一枚の板部材に前記関節部を形成したことを特徴とする請求項１乃至請求項３に記載の自動販売機。
【請求項１２】
前記軟質部材は、前記関節部の屈曲の起点として作用する切り欠き部を備えていることを特徴とする請求項１１に記載の自動販売機。
【請求項１３】
前記板部材と前記軟質部材とを同時押し出し成形により形成したことを特徴とする請求項１１または請求項１２に記載の自動販売機。
【発明の詳細な説明】
【０００１】
【発明の属する技術分野】
本発明は、商品収納庫を区画する仕切板を有する自動販売機に関する。
【０００２】
【従来の技術】
この種自動販売機としては、特開平５−３３４５４２号公報に開示されているものがある。この自動販売機は、商品収納庫の容積を可変にするために、商品収納庫を区画する仕切板の取り付け位置を変更可能にしたものであって、商品収納庫内に仕切板を案内する取付レールを複数設け、取付レールを任意に選択して仕切板を取り付けることによって、区画された左右の商品収納庫の容積が変更されるものである。
【０００３】
図１３はこうした従来の構成の自動販売機の平面図である。図１３に示すように、この自動販売機１００は、外箱２と、この外箱２に外ヒンジ６で軸支され外箱を開閉する外扉４と、外箱２の内側に形成された商品収納庫３と、商品収納庫３に内ヒンジ７で軸支され商品収納庫３を開閉する収納扉５と、商品収納庫３の天面と下面に配設された取付レール９と、この取付レール９に取り付けることにより商品収納庫３を左右に区画する仕切板１０８を備えて構成されている。
【０００４】
そして、この自動販売機１００における仕切板１０８の取り付け位置の変更は、仕切板１０８を前方に引っ張り、取付レール９から離脱させ、その後、別の取付レール９に仕切板１０８を挿入することにより行われるようになっている。
【０００５】
【発明が解決しようとする課題】
しかしながら、自動販売機１００の側方に壁等の障害物があって外扉４及び収納扉５が大きく開放できない場所においては、図１０（ａ）のように内ヒンジ７から離れた位置の仕切板１０８の着脱は可能であるが、図１０（ｂ）のように内ヒンジ７に近い位置では商品収納庫３と収納扉５との間隔が狭いために、仕切板１０８を取付レール９に着脱することができないという不具合を有していた。
【０００６】
本発明は、こうした課題を解決するためになされたものであり、収納扉が大きく開放できなくても仕切板の着脱が可能な自動販売機を提供するものである。
【０００７】
【課題を解決するための手段】
請求項１の発明に係る自動販売機は、前面に開口部を備えた商品収納庫と、当該開口部を開閉する収納扉と、開口部から商品収納庫に挿脱可能で商品収納庫を区画する仕切板とを備えた自動販売機において、前記仕切板に関節部を設け、前記仕切板を前記商品収納庫に挿脱する際に当該関節部にて屈曲可能に構成したものである。
この構成によれば、仕切板を商品収納庫に挿脱する際に関節部にて屈曲可能であるので、商品収納庫の前方に大きな空間がなくても仕切板を屈曲させて挿脱することができる。
請求項２の発明に係る自動販売機は、請求項１の構成において、前記商品収納庫は天面及び底面に前記仕切板を保持する保持部材を備え、前記関節部は前記仕切板を上下方向に縦断するように形成されたものであって、前記仕切板は前記関節部にて左右方向に屈曲可能に構成されているものである。
この構成によれば、関節部が仕切板を上下方向に縦断するように形成されているので、仕切板の挿脱の際に左右方向に大きく屈曲させることができる。
請求項３の発明に係る自動販売機は、請求項１または請求項２の構成において前記仕切板に前記間接部を複数設けたものである。
この構成によれば、仕切板が複数の関節部で屈曲するので、より大きく屈曲させることができる。
請求項４の発明に係る自動販売機は、請求項１乃至請求項３の構成において、前記仕切板は複数の板部材を備えるとともに、前記関節部は軸部と、この軸部に嵌合して摺動可能な軸受部とで形成されたものであって、前記複数の板部材は、当該軸部と当該軸受部を介して連結されているものである。
この構成によれば、軸部と軸受部とによって仕切り板が屈曲可能となる。
請求項５の発明に係る自動販売機は、請求項４の構成において、前記軸部と前記軸受部とは着脱可能に嵌合するものであって、前記複数の板部材はそれぞれ一端部に軸部を備え、当該一端部と対向する他端部に軸受部を備えてなり、一方の板部材の軸部と他方の板部材の軸受部とを嵌合させることにより複数の板部材を任意に連結可能に構成したものである。
この構成によれば、複数の板部材の連結数を変えることで、仕切板の奥行きを容易に変更することができ、奥行き寸法の異なる商品収納庫にも対応させることができる。
請求項６の発明に係る自動販売機は、請求項５の構成において、前記商品収納庫と前記扉と前記仕切板はそれぞれ断熱性を有したものであって  、仕切板で区画された商品収納庫の一方を加温し他方を冷却する冷熱装置と、前記収納扉を閉じた際に当該収納扉の裏面と前記仕切板の前端部との隙間をシールするシール部材とを備え、当該シール部材は後部に前記軸受部を有するものである。
この構成によれば、区画した庫内間の断熱を行うことができるとともに、仕切板前端部に位置する板部材を特殊な形状にしなくてもシール部材を取り付けることができ、板部材の標準化を図ることができる。
請求項７の発明に係る自動販売機は、請求項１乃至請求項３の構成において、前記仕切板は複数の板部材を備えるとともに、前記関節部は弾性樹脂によって形成されたものであって、前記複数の板部材は当該弾性樹脂を介して連結されているものである。
この構成によれば、弾性樹脂によって仕切板が屈曲可能となる。
請求項８の発明に係る自動販売機は、請求項１乃至請求項３の構成において、前記仕切板は複数の板部材備えるとともに、前記関節部は屈曲可能なシート部材によって形成されたものであって、前記複数の板部材は、互いの片側表面同士をつなぐように貼りつけられた前記シート部材によって連結されているものである。この構成によれば、複数の板部材が互いの片側表面同士をつなぐように貼りつけられたシート部材によって連結されているので、仕切板が板部材同士の連結部にて屈曲可能となる。
請求項９の発明に係る自動販売機は、請求項１乃至請求項３の構成において、心材と、この心材の両面に貼りつけられた屈曲可能なシート部材とにより構成された一枚の板部材の前記心材と一方の面のシート部材とを切断して、他方の面のシート部材を残すことにより、前記一枚の板部材に前記関節部を形成したものである。
この構成によれば、一枚の板部材を切断することで関節部を形成するものであるので、生産性に優れている。
請求項１０の発明に係る自動販売機は、請求項９の構成において、前記心材は発泡ウレタンであるとともに、前記シート部材は防湿シートであって、心材の切断部に防湿カバーを配設して前記関節部を屈曲させたときにも前記心材が露出しないようにしたものである。
この構成によれば、仕切板に断熱性を持たせることができるとともに、仕切板を屈曲させたときにも心材が露出しないので、発泡ウレタンが湿気等によって加水分解することを防ぐことができる。
請求項１１の発明に係る自動販売機は、請求項１乃至請求項３の構成において、心材と、この心材の両面に貼りつけられた屈曲可能なシート部材とにより構成された一枚の板部材の前記心材に間隙を形成し、当該間隙に可撓性を有する軟質部材を埋設することにより、前記一枚の板部材に前記関節部を形成したものである。
この構成によれば、心材の間隙に埋設した軟質部材によって、仕切板が屈曲可能となる。
請求項１２の発明に係る自動販売機は、請求項１１の構成において、前記軟質部材は、前記仕切板の屈曲の起点として作用する切り欠き部を備えているものである。
この構成によれば、仕切板が屈曲する箇所の位置決めができる。
請求項１３の発明に係る自動販売機は、請求項１１または請求項１２の構成において、前記板部材と前記軟質部材とを同時押し出し成形により形成したものである。
この構成によれば、板部材と軟質部材とを同時押し出し成形により形成するので、屈曲可能な仕切板の生産をきわめて簡単迅速に行うことができる。
【０００８】
【発明の実施の形態】
以下、図面を参照しながら、本発明の実施形態を詳細に説明する。図１は、本発明の自動販売機の斜視図である。なお、従来の構成と同じものについては、従来の技術にて説明した符号と同一符号を付している。
【０００９】
図１に示すように、本発明の自動販売機１は、外箱２と、この外箱２に外ヒンジ６で軸支され外箱２を開閉する外扉４と、外箱２の内側に形成され前面に開口部３０を備えた商品収納庫３と、商品収納庫３に後述する内ヒンジ７で軸支され商品収納庫３の開口部３０をを開閉する収納扉５とを備えて構成されている。外扉４には、投入された金銭を処理する金銭処理装置４１と、自動販売機１の電装部品を統轄制御する主制御装置４２と、商品収納庫３側から搬出された商品を受け入れ、外扉４の前面に形成された取出口（図示せず）から商品を取り出す際の受け入れ箱である商品受入箱４３などか配設されている。収納扉５には、後述する内ヒンジ７と反対側に設けられ収納扉５を閉じた時のロックを行うロックレバー５２と、収納扉５の下方に複数形成された開閉扉であって商品収納庫３から搬出された商品の自重によって開放して商品の通過を許容する搬出扉５１が設けられている。
【００１０】
図２は、外扉４及び収納扉５を取り外した状態の自動販売機１の正面図である。図２に示すように商品収納庫３の内部には、商品を収納する商品ラック１０が左右方向に所定の間隔Ｐを開けながら複数（本例では５つ）配設されており、この商品ラック１０の下方には複数の商品ラック１０に対応してシュート１１が複数設けられている。商品ラック１０には収納された商品を販売指示に基づき１つづつ搬出するための搬出装置１０ａが設けられており、商品の販売指示があるとその商品に対応する搬出装置１０ａが駆動され商品がシュート１１へ搬出される。シュート１１は搬出された商品を図１に示す収納扉５の搬出扉５１へと導き、商品は搬出扉５１を通過して外扉４の商品受入箱４３へ搬出されるように構成されている。また、図２に示すように商品収納庫３の天面３ａおよび底面３ｂには商品ラック１０の間隔Ｐ毎に仕切板８の挿入をガイドするとともに仕切板８を取り付けるための取付レール９（保持部材）が４つ設けられており、また、右端の商品ラック１０と商品収納庫３の内壁３ｃとの間にも間隔Ｐが設けられ、この部分にも取付レール９が設けられている。仕切板８は取付レール９にその上下端をガイドされながら間隔Ｐに挿入可能に構成されたものであって、複数の間隔Ｐのうち任意の間隔Ｐに挿入可能になっている。また、商品収納庫３内の右下端及び左下端には破線で示す冷熱器１２が設けられており、商品収納庫３内を冷却、加温するようになっている。冷熱器１２は蒸発器１２ａおよび電気ヒータ１２ｂ等を備えて構成されたものであり、蒸発器１２ａは、機械室２０に設けられたコンプレッサーユニット２１から供給された冷媒を蒸発させることによって庫内を冷却するものである。そして、仕切板８を任意の間隔Ｐに挿入することにより、商品収納庫３が左右に区画され、左右庫内３１、３２で独立した冷却加温ができ、仕切板８の移動によって左右庫内３１、３２の容積を任意に変更できるように構成されている。
【００１１】
以上の構成において、左の３つの商品ラック１０を冷却し、右の２つの商品ラック１０を加温する例について説明する。図２に示すように、仕切板８を左から３番目の間隔Ｐに挿入して取付レール９に取り付ける。これによって商品収納庫３は、左の３つの商品ラック１０を収納する左庫内３１と、右の２つの商品ラック１０を収納する右庫内３２とに区画される。その後、主制御装置４２にて左庫内３１を冷却、右庫内３２を加温するように設定入力すると、左庫内３１は蒸発器１２ａが、右庫内３２はヒータ１２ｂがそれぞれ運転制御され、庫内毎に冷却加温制御がなされるようになっている。
【００１２】
次に、仕切板８を屈曲可能とした具体的構成について説明する。
【００１３】
図３乃至図６は本発明の第１の実施の形態を示した図である。第１の実施の形態では、図３乃至図５に示すように、仕切板８は３つの板部材８１を連結し、その前端部にシール部材８２を取り付けて構成したものである。板部材８１はその外郭を成すケース８１ａと、ケース８１ａ内に充填された発泡ウレタン８１ｂとにより構成されている。このケース８１ａはポリプロピレン等の樹脂を押し出し成形したものであり、その前端にはパイプ状に形成された軸部８１ｃと、その後端には湾状に開口して軸部８１ｃと摺動可能に嵌合する軸受部８１ｄが形成されている。また、シール部材８２は塩ビ樹脂等の硬質樹脂と軟質樹脂の２重押し出し成形にて形成されたものであり、前方には軟質樹脂で形成され収納扉５の内面と仕切板８とのシールを行うためのシール部８２ａが設けられ、後方には、前記軸受部８１ｄと略同型状に形成され、仕切板８の軸部８１ｃと嵌合する取付部８２ｂが設けられている。
【００１４】
こうした構成の仕切板８を組み立てる場合、まず、板部材８１にシール部材８２を取り付けるには、図３矢印Ａの如く、シール部材８２の取付部８２ｂの下端を仕切板８の軸部８１ｃの上端から下方へスライド挿入して嵌合させ、次に、板部材８１同士を連結するには、図３矢印Ｂ、Ｃの如く、前方の板部材８１の軸受部８１ｄの下端を後方の板部材８１の軸部８１ｃの上端からスライド挿入させて嵌合させる。このように、板部材８１はそれぞれ前端に軸部８１ｃ、後端に軸受部８１ｄを備えて構成されている故、板部材８１の連結の数を任意に変更可能であり、奥行き異なる商品収納庫３への対応も容易に可能である。また、シール部材８２に仕切板８の軸部８１ｃと嵌合する取付部８２ｂを設けて構成したので、特別な取り付け部品等を用いなくても、シール部材８２の取り付けを行うことができるものである。
【００１５】
図４は組み立てられた状態の仕切板８の斜視図であり、図５は組み立てられた状態の仕切板８の平面図であって、（ａ）は屈曲していない状態の平面図、（ｂ）は屈曲させた状態の平面図である。図４のように３枚の板部材８１が連結された仕切板８においては、板部材８１同士の連結部が関節部８００として作用し、軸部８１ｃに嵌合した軸受部８１ｄが軸部８１ｃに対して摺動することで、図５（ｂ）に示すように仕切板８が屈曲する。このとき、軸部８１ｃと軸受部８１ｄとの可動角度範囲によって仕切板８の屈曲角度が決まるが、例えば、図５に示すように軸部８１ｃと軸受部８１ｄとが一方へ１５度可動できるように構成すれば、２つの関節部８００によって先端の板部材は３０度の角度に屈曲可能となる。そして、このように仕切板８が屈曲することによって、仕切板８を挿脱する際に商品収納庫３の前方に必要なスペースが小さくてすみ、図６に示すように仕切板８を収納扉５に沿うように屈曲させれば、収納扉５を大きく開放させなくても内ヒンジ７に近い部分の仕切板８の着脱が可能となる。
【００１６】
なお、図３及び図４に示すように、仕切板８の前方下端にレバー部材１４をビス１５にて回動可能に取り付けて、商品収納庫３下端にはこのレバー部材の先端部１４ａを検出するセンサ１３を図２に示すように間隔Ｐ毎に配設しておけば、このレバー部材１４の取付位置によって、冷却加温の切換をさせることが可能である。例えば、左庫内３１が冷却専用庫内で、右庫内３２が冷却加温設定可能な庫内の自動販売機の場合、レバー部材１４を回動させ先端部１４ａを下方に突出させたとき、すなわちセンサ１３が先端部１４ａを検出したときには右庫内を加温設定とし、先端部１４ａを下方に突出させないとき、すなわちセンサ１３が先端部１４ａを検出しないときは右庫内を冷却設定として冷熱器１２を制御させるようにすることで、仕切板８の挿入取付と同時に右庫内の設定切換を行うことができる。
【００１７】
次に、図７と図８を用いて第２の実施の形態を説明する。第２の実施の形態では、図７に示すように、仕切板８は３つの板部材８３を２つの弾性部材８４で連結し、その前端部にシール取付部材８５を取り付けて構成したものである。板部材８３はそ押し出し成形された断熱パネルであり、心材に硬質の発泡ウレタン８３ｂを備え、表裏面に防湿層を形成するアルミシート８３ａが貼りつけられたものである。このアルミシート８３ａはアルミ箔、ポリエチレンフィルム、Ｋライナー紙等が貼り合わさって構成されたものであり、防湿性に優れ、屈曲可能でなおかつ曲げ強度や引っ張り強度を十分に備えたものである。弾性部材８４は、塩ビ樹脂等の硬質樹脂と軟質樹脂の２重押し出し成形にて形成されたものであり、中央に軟質樹脂で形成された屈曲部８４ａと、この屈曲部８４ａの両端に硬質樹脂で断面コ字状に形成され板部材８３の端部と嵌合して接続される接続部８４ｂとを備えて構成されている。シール取付部材８５は、塩ビ樹脂等の硬質樹脂を押し出し成形したものであって、その後部に弾性部材８４の接続部８４ｂと略同形状に形成された取付部８５ｂを備え、前部に前述したシール部材８２を取り付けるための取付軸部８５ａを備えて構成されている。なお、この第２の実施の形態に示す構成の仕切板８においても、弾性部材８４と板部材８３の数を増減させることで、仕切板８の奥行き寸法や関節部８００の数を簡単に変更することが可能となる。
【００１８】
図８は組み立てられた状態の仕切板８の平面図であって、（ａ）は屈曲していない状態の平面図、（ｂ）は屈曲させた状態の平面図である。図８のように３枚の板部材８１が弾性部材８４にて連結された仕切板８においては、弾性部材８４が関節部８００として作用し、仕切板８が２カ所で屈曲するようになっている。
【００１９】
そして、図８（ｂ）に示すように、前述した第１の実施の形態の仕切板８と同様、仕切板８が屈曲することによって、仕切板８を挿脱する際に商品収納庫３の前方に必要なスペースが小さくてすみ、図６に示すように仕切板８を収納扉５に沿うように屈曲させれば、収納扉５を大きく開放させなくても内ヒンジ７に近い部分の仕切板８の着脱が可能となる。
また、第２の実施の形態の構成では、汎用の断熱パネルを所定寸法に裁断するだけでも板部材８３を構成することができ、この板部材８３に弾性部材８４あるいはシール取付部材８５を取り付けるだけで仕切板８を作ることができるので、生産工程が非常に簡素になる。
【００２０】
次に、図９と図１０を用いて第３の実施の形態を説明する。ここで、図９は本実施の形態の仕切板８の斜視図であり、図１０は本実施の形態の仕切板８の平面図であって、（ａ）は屈曲していない状態の平面図、（ｂ）は屈曲させた状態の平面図である。第３の実施の形態では、仕切板８は、図９に示すように板部材８６と、この板部材８６の前端に取り付けられた第２の実施の形態と同様のシート取付部材８５とを備えて構成されている。板部材８６は、第２の実施の形態で説明した板部材８３と同様、心材に発泡ウレタン８６ｂ、表裏面にアルミシート８６ａが貼りつけられた押し出し成形の断熱パネルである。そして、この一枚の板部材８６を片面側８６ｃのアルミシート８６ａを残した状態で、反対面側８６ｄの２カ所においてアルミシート８６ａ及び発泡ウレタン８６ｂを切断して３つの板部材８６１、８６２、８６３に分割することで、図１０（ｂ）に示すように２カ所の切断部８７を関節部８００として屈曲できるように構成している。
【００２１】
この構成によれば、３つの板部材８６１、８６２、８６３が片面側８６ｃのアルミシート８３ａのみによって接続された状態であるので、仕切板８を片面側８６ｃの方向には最大１８０度まで屈曲させることも可能であり、より狭いスペースでの仕切板８の挿脱が可能である。また、押し出し成形された板部材８６の片面を切断するだけで関節部８００を形成することができるので製造が容易であるとともに、部品点数が少なく安価である。さらに、切断部８７の数を変えるだけで関節部８００の数を容易に変更できるものである。
【００２２】
なお、図１０に示すように切断部８７にその端面が露出しないようにアルミシート等の防湿シート８７ａを貼りつけておけば、仕切板８を屈曲させた際にも、心材の発泡ウレタン８６ｂが露出することがないので、発泡ウレタン８６ｂの加水分解を防ぐことができる。また、本例では、押し出し成形された一枚の板部材８６を切断して関節部８００を形成する例について説明したが、予め分割された板部材８６１、８６２、８６３を並べて、その片側表面にアルミシートを貼りつけて板部材８６１、８６２、８６３を連結させるようにすることも可能である。
【００２３】
次に、図１１と図１２を用いて第４の実施の形態を説明する。ここで、図１１は本実施の形態の仕切板８の斜視図であり、図１２は本実施の形態の仕切板８の平面図であって、（ａ）は屈曲していない状態の平面図、（ｂ）は屈曲させた状態の平面図である。第４の実施の形態では、仕切板８は、図１１に示すように板部材８８と、この板部材８８の前端に取り付けられた第２の実施の形態と同様のシート取付部材８５とを備えて構成されている。板部材８８は、第２の実施の形態で説明した板部材８３と同様、心材に発泡ウレタン８８ｂ、表裏面にアルミシート８８ａが貼りつけられた押し出し成形の断熱パネルである。
【００２４】
この板部材８８は片側８８ｃの２カ所においてアルミシート８８ａと発泡ウレタン８８ｂが所定間隔分断されるようにして押し出し成形されたものであって、３つの板部材８８１、８８２、８８３が所定間隔を配しながら片面をアルミシート８８ａ接続された状態で押し出し成形される。そして、この２カ所の分断部分８９にはその間隙を埋めるように軟質部材８９ａが配設され、さらに、片側８６ｃの表面には分断されたアルミシート８８ａを接続するとともに、軟質部材８９ａを覆うアルミシート等の防湿カバー８９ｃが貼りつけられている。
【００２５】
こうした構成によって、図１２（ｂ）に示すように２カ所の分断部分８９を関節部８００として軟質部材８９を押しつぶしなから屈曲できるようになっている。そして軟質部材８９ａの屈曲側には、図１２に示すようにＶ字状の切り欠き部８９ｂが形成されており、仕切板８を屈曲させる際に応力集中によって位置決めおよびきっかけを作る起点となるとともに、図１２（ｂ）に示すように仕切板８を屈曲させたときに防湿カバー８９ｃの撓み分を切り欠き部８９ｂに取り込ませることができる。
【００２６】
この構成によれば、第３の実施の形態の板部材８６と同様に、板部材８８が一枚の押し出し成形された板材を基に構成されたものであるので、生産効率が非常に良い。さらに、軟質部材８９ａを板部材８８と同時に押し出して同時成形することも可能であり、このように成形すれば生産工数をより少なくできる。また、このように軟質部材８９ａを同時に押し出すようにした場合には、片側８６ｃのアルミシート８６ａを分断する必要がない。すなわち、軟質部材８９ａを発泡ウレタン８８ｂと同様にアルミシート８８ａ間にインサートさせて一度に押し出し成形することができるので、よりいっそう生産工数を減らすことができるとともに、板部材８８の表裏面とも全面がアルミシート８６ａで覆われているので防湿性に優れ、防湿カバー８９ｃの構成が不要となる。
【００２７】
以上第１乃至第４の実施の形態で示したように、仕切板８に関節部８００を設けて屈曲可能に構成することによって、商品収納庫３の前方のスペースが小さくても、仕切板８を着脱することが可能となり、収納扉５が大きく開放しなくても内ヒンジ７に近い部分の仕切板８の着脱が可能となる。
【００２８】
なお、以上第１乃至第４の実施の形態では、仕切板８に関節部８００を２つ設けた例を主体に説明したが、当然関節部８００は２つに限られたものではなく、１つ或いは３つ以上でも良い。また、仕切板８の心材を発泡ウレタンを例に説明したが、心材は発泡ウレタンに限られたものではなく、発泡スチロール等他の断熱素材でも構成できる。また、心材の発泡ウレタンを覆う防湿シートはアルミシートに限らず、その他の金属薄板材や、樹脂シートなどでも構成できる。また、仕切板８が１枚の場合の自動販売機１について説明したが、商品収納庫３に配設される冷熱器１２の数次第で、商品収納庫３の区画可能数は変わるので、仕切板８の数は１枚に限られたものではない。また、仕切板８が商品収納庫３を左右方向に区画する例について説明したが、商品収納庫３を上下方向に区画する自動販売機も当然容易に構成できる。
【００２９】
【発明の効果】
以上に説明したように、本発明によれば、仕切板を商品収納庫に挿脱する際に間接部にて屈曲可能であるので、商品収納庫の前方に大きな空間がなくても仕切板を屈曲させて挿脱することができる。また、間接部が仕切板を上下方向に縦断するように形成されているので、仕切板の挿脱の際に左右方向に大きく屈曲させることができる。また、仕切板が複数の関節部で屈曲するので、より大きく屈曲させることができる。
【図面の簡単な説明】
【図１】本発明の自動販売機の斜視図である。
【図２】本発明の自動販売機の外扉と収納扉を外した状態の正面図である。
【図３】本発明の第１の実施の形態に関する仕切板の分解斜視図である。
【図４】本発明の第１の実施の形態に関する仕切板の結合斜視図である。
【図５】本発明の第１の実施の形態に関する仕切板の結合平面図である。
【図６】本発明の第１の実施の形態に関する自動販売機の平面図である。
【図７】本発明の第２の実施の形態に関する仕切板の結合斜視図である。
【図８】本発明の第２の実施の形態に関する仕切板の平面図である。
【図９】本発明の第３の実施の形態に関する仕切板の結合斜視図である。
【図１０】本発明の第３の実施の形態に関する仕切板の平面図である。
【図１１】本発明の第４の実施の形態に関する仕切板の結合斜視図である。
【図１２】本発明の第４の実施の形態に関する仕切板の平面図である。
【図１３】従来の自動販売機の平面図である。
【符号の説明】
１      自動販売機
２      外箱
３      商品収納庫
３ａ    天面
３ｂ    底面
４      外扉
５      収納扉
６      外ヒンジ
７      内ヒンジ
８      仕切板
９      取付レール（保持部材）
１０    商品ラック
１１    商品シュート
１２    冷熱器
８１    板部材
８１ｃ  軸部
８１ｄ  軸受部
８２    シール部材
８３    板部材
８４    弾性部材
８６    板部材
８６ａ  アルミシート（シート部材）
８６ｂ  発泡ウレタン（心材）
８７    切断部
８７ａ  防湿カバー
８８    板部材
８８ａ  アルミシート（シート部材）
８８ｂ  発泡ウレタン（心材）
８９    分断部分（間隙）
８９ａ  軟質樹脂
８９ｂ  切り欠き部
８００  関節部
【図１】
0003743212.tif 000002
【図２】
0003743212.tif 000003
【図３】
0003743212.tif 000004
【図４】
0003743212.tif 000005
【図５】
0003743212.tif 000006
【図６】
0003743212.tif 000007
【図７】
0003743212.tif 000008
【図８】
0003743212.tif 000009
【図９】
0003743212.tif 000010
【図１０】
0003743212.tif 000011
【図１１】
0003743212.tif 000012
【図１２】
0003743212.tif 000013
【図１３】
0003743212.tif 000014